(57)【要約】【課題】  切れ端が下刃に付着するのを、装置自体を大型化することなく、簡単な構成で、確実に、防止できる、裁断装置、を提供すること。【解決手段】  固定された下刃４１と上下動可能な上刃４２とを備え、下刃４１に対して上刃４２を上方から擦り合わせることによって用紙を裁断する、裁断装置４０において、上刃４２の擦り合わせ面４２０側にて下刃４１に向けて上方から空気を吹き付ける吹付機構６を備えており、吹付機構６が、上刃４２の擦り合わせ面４２０側に、上刃４２に対向して設けられた、縦カバー体６１と、上刃４２から縦カバー体６１に向けて突出して設けられた、横カバー体６２と、を備え、上刃４２と共に横カバー体６２が下降することによって、上刃４２と横カバー体６２と縦カバー体６１とで囲まれた空間Ｓの空気を下方へ押しやるようになっている、ことを特徴としている。【選択図】図６
2006205309.tif 000002
【特許請求の範囲】
【請求項１】
搬送されてきた用紙を当該搬送方向に対する直交方向に裁断する裁断装置であって、固定された下刃と上下動可能な上刃とを備え、下刃に対して上刃を上方から擦り合わせることによって用紙を裁断する、裁断装置において、
上刃の擦り合わせ面側にて下刃に向けて上方から空気を吹き付ける吹付機構を備えており、
該吹付機構が、
上刃の擦り合わせ面側に、上刃に対向して設けられた、縦カバー体と、
上刃から縦カバー体に向けて突出して設けられた、横カバー体と、を備え、
上刃と共に横カバー体が下降することによって、上刃と横カバー体と縦カバー体とで囲まれた空間の空気を下方へ押しやるようになっている、ことを特徴とする裁断装置。
【請求項２】
用紙の搬送方向の上流側に、搬送されてきた用紙に接触するよう除電ブラシが設けられている、請求項１記載の裁断装置。
【請求項３】
縦カバー体の下部に、搬送されてきた用紙に接触するよう除電ブラシが設けられている、請求項１記載の裁断装置。
【発明の詳細な説明】
【技術分野】
【０００１】
本発明は、搬送されてきた用紙を当該搬送方向に対する直交方向に裁断する裁断装置に関するものである。
【背景技術】
【０００２】
搬送されてきた用紙を当該搬送方向に対する直交方向に裁断する裁断装置としては、一般に、ギロチンカッターと称する裁断装置が用いられている。この裁断装置は、固定された下刃と上下動可能な上刃とを備え、下刃に対して上刃を上方から擦り合わせることによって用紙を裁断するようになっている。
【０００３】
図８及び図９は、上記の裁断装置４０によって、矢印Ａ方向に搬送されてきた用紙１１の末端部１１１を、裁断する状態、を示す断面図である。裁断装置４０において、図８に示す裁断作業直前の状態、すなわち、用紙１１の末端部１１１が裁断位置にある状態において、下刃４１に対して上刃４２を下降させると、図９に示すように、用紙１１が裁断されて、切れ端としての末端部１１１が生じる。
【０００４】
ところで、裁断により生じた切れ端が短冊状のものである場合には、切れ端が、図９に示すように、下刃４１の刃面４１０に付着して、ジャム（用紙詰まり）を引き起こすことがあった。
【０００５】
そこで、従来では、特許文献１、２等に示す技術によって、切れ端が下刃に付着するのを防止するようにしていた。特許文献１では、切れ端をファンによって吸引除去している。特許文献２では、用紙の静電気を除電ブラシにより除去することによって、下刃に対して切れ端を付着しにくくしている。
【特許文献１】特開２０００−３３５０２８号公報
【特許文献２】特開平８−２０８０６６号公報
【発明の開示】
【発明が解決しようとする課題】
【０００６】
しかしながら、特許文献１の技術では、ファンだけでなく、ファンの駆動源やフィルター等を必要とするので、装置が大型化してしまうという問題がある。また、ファンの回転によって騒音が発生するという問題もある。
【０００７】
特許文献２の技術では、切れ端の付着を必ずしも十分に防止することができない。
【０００８】
本発明は、切れ端が下刃に付着するのを、装置自体を大型化することなく、簡単な構成で、確実に、防止できる、裁断装置、を提供することを目的としている。
【課題を解決するための手段】
【０００９】
請求項１記載の発明は、搬送されてきた用紙を当該搬送方向に対する直交方向に裁断する裁断装置であって、固定された下刃と上下動可能な上刃とを備え、下刃に対して上刃を上方から擦り合わせることによって用紙を裁断する、裁断装置において、上刃の擦り合わせ面側にて下刃に向けて上方から空気を吹き付ける吹付機構を備えており、該吹付機構が、上刃の擦り合わせ面側に、上刃に対向して設けられた、縦カバー体と、上刃から縦カバー体に向けて突出して設けられた、横カバー体と、を備え、上刃と共に横カバー体が下降することによって、上刃と横カバー体と縦カバー体とで囲まれた空間の空気を下方へ押しやるようになっている、ことを特徴としている。
【００１０】
請求項２記載の発明は、請求項１記載の発明において、用紙の搬送方向の上流側に、搬送されてきた用紙に接触するよう除電ブラシが設けられているものである。
【００１１】
請求項３記載の発明は、請求項１記載の発明において、縦カバー体の下部に、搬送されてきた用紙に接触するよう除電ブラシが設けられているものである。
【発明の効果】
【００１２】
請求項１記載の発明によれば、上刃が下降して裁断作業が行われる際に、吹付機構が作動する。すなわち、横カバー体が上刃と共に下降することによって、上刃と横カバー体と縦カバー体とで囲まれた空間の空気が、下方に押しやられ、下刃に向けて上方から吹き付けられる。これにより、用紙の裁断作業でできた切れ端が、下刃の上から吹き飛ばされる。したがって、下刃への切れ端の付着を、確実に防止できる。
【００１３】
また、吹付機構は、縦カバー体と横カバー体とで構成されているにすぎないので、構成が簡単である。
【００１４】
更に、吹付機構は、下刃の上方のスペースを利用して設けられているにすぎないので、吹付機構を設けることによる裁断装置の大型化を、防止できる。
【００１５】
請求項２記載の発明によれば、用紙から、すなわち、切れ端から、静電気を除去することができるので、下刃への切れ端の付着を、より確実に防止できる。
【００１６】
請求項３記載の発明によれば、用紙から、すなわち、切れ端から、静電気を除去することができるので、下刃への切れ端の付着を、より確実に防止できる。しかも、除電ブラシが吹付機構と一体に設けられているので、除電ブラシを設けることによる裁断装置の大型化を、防止できる。
【発明を実施するための最良の形態】
【００１７】
図１は本発明の裁断装置の正面図、図２は同じく背面図である。なお、図２では内部構造を破線で示したが、図１では省略している。
【００１８】
裁断装置４０は、固定された下刃４１と上下動可能な上刃４２とを備えている。両刃４１、４２は、用紙の搬送方向に対する直交方向に沿って配置されており、両側にて、先端支持部４３及び基端支持部４４によって支持されている。基端支持部４４には、ギヤ４４１、４４２が設けられている。ギヤ４４２は作動軸４４２１を介してクランク４４３と連結している。上刃４２は、クランク４４３が基軸４４３１を支点として回動することによって、基軸４２１を支点として先端部４２２が上下動するようになっている。先端部４２２は、先端支持部４３において、フレーム４３１により、上下動可能に支持されている。このような構成により、裁断装置４０は、下刃４１に対して上刃４２を上方から擦り合わせることによって用紙を裁断するようになっている。
【００１９】
そして、本発明の裁断装置４０は、図１又は図２のIII−III断面図である図３に示すように、上刃４２の擦り合わせ面４２０側にて下刃４１に向けて上方から空気を吹き付ける吹付機構６を備えている。吹付機構６は、縦カバー体６１と横カバー体６２とで構成されている。
【００２０】
縦カバー体６１は、上刃４２の擦り合わせ面４２０側において、上刃４２に対向して設けられている。その対向間隔Ｗは、概ね下刃４１の厚さに設定してある。なお、間隔Ｗは、後述する吹付機構６による効果を発揮できる限りにおいて、下刃４１の厚さより狭くても広くてもよい。
【００２１】
縦カバー体６１は、その両側が、先端支持部４３と基端支持部４４とに、ボルト６１１、６１２によって固定されて、設けられている。縦カバー体６１は、上刃４２に対向した縦板部６１３と、縦板部６１３の上縁から上刃４２側に延びた横板部６１４と、からなっている。
【００２２】
横カバー体６２は、上刃４２の上面から縦カバー体６１に向けて突出して設けられている。その突出先端６２１１は、縦カバー体６１に接する直前の所に位置している。横カバー体６２は、横板部６２１と縦板部６２２とからなっており、縦板部６２２にて上刃４２にボルト６２３によって固定されている。
【００２３】
これにより、上刃４２の擦り合わせ面４２０側には、上刃４２と横カバー体６２と縦カバー体６１とで囲まれた、下開きの空間Ｓ、が形成される。
【００２４】
更に、上記構成の吹付機構６は、縦カバー体６１の下部に除電ブラシ７を備えている。除電ブラシ７は、基部７１とブラシ部７２とからなっており、基部７１にて、縦板部６１３の下部の正面側にボルト７１１により固定されている。ブラシ部７２のブラシ先端は、用紙が搬送される高さ位置Ｈ（図３）より下方まで延びている。
【００２５】
上記構成の裁断装置４０は、次のように作動する。
まず、図４に示すように、上刃４２が上昇位置にある状態の裁断装置４０内を、用紙１１が、矢印Ａ方向に搬送されていく。このとき、用紙１１は除電ブラシ７のブラシ部７２に接触しながら進むので、用紙１１から静電気が除去される。次に、用紙１１を末端部１１１にて裁断する場合には、図５の状態、すなわち、用紙１１の末端部１１１が裁断位置にある状態にて、用紙１１の搬送が停止される。そして、図６に示すように、上刃４２が下降して下刃４１と擦り合わされる。すなわち、裁断作業が行われる。これにより、用紙１１が裁断されて、末端部１１１が短冊状の切れ端として生じる。
【００２６】
ところで、上記構成の裁断装置４０は吹付機構６を備えているので、図６に示す裁断作業が行われる際に、吹付機構６が次のように作動する。すなわち、上刃４２が下降すると、それに伴って横カバー体６２も下降し、空間Ｓ内の空気が、下降する横カバー体６２によって下方に押しやられ、空気流として下刃４１の刃面４１０に上方から吹き付けられる。このため、切れ端となった末端部１１１は、空気流によって吹き飛ばされる。
【００２７】
したがって、上記構成の裁断装置４０においては、吹付機構６によって、下刃４１への切れ端の付着が、確実に防止される。
【００２８】
しかも、用紙１１からは、除電ブラシ７によって静電気が除去されているので、切れ端である末端部１１１は静電気を帯びていない。したがって、下刃４１への切れ端の付着が、より確実に防止される。
【００２９】
また、吹付機構６は、縦カバー体６１と横カバー体６２とで構成されているにすぎないので、構成が簡単である。
【００３０】
更に、吹付機構６は、下刃４１の上方のスペースを利用して設けられているにすぎないので、吹付機構６を設けることによる裁断装置４０の大型化を、防止できる。
【００３１】
しかも、上記構成の裁断装置４０においては、除電ブラシ７のブラシ部７２のブラシ先端が搬送高さ位置Ｈより下方に位置しているので、吹付機構６の作動中において、ブラシ部７２が常に末端部１１１に上方から当接している。このため、末端部１１１は、切れ端となる際に、ブラシ部７２によって下方へ押しやられる。すなわち、切れ端は、除電ブラシ７によって、掻き落とされる。したがって、下刃４１への切れ端の付着が、更に確実に、防止される。
【００３２】
なお、本発明の裁断装置においては、次のような変形構造を採用してもよい。
（１）図７に示すように、除電ブラシ７を、吹付機構６から離して、搬送方向の上流側に、配置する。これによっても、裁断装置４０に搬送されて裁断される用紙１１から、静電気が除去される。
【００３３】
（２）図７に一点鎖線で示すように、用紙１１の搬送方向が矢印Ａ方向とは反対の矢印Ｂ方向の場合でも、上記構成の裁断装置４０を適用できる。この場合において、上記構成の裁断装置４０は、用紙１１を先端部１１２にて裁断する際に有効である。また、この場合において、除電ブラシ７を設ける場合には、除電ブラシ７は、一点鎖線で示すように、矢印Ｂ方向の上流側に設ける必要がある。
【産業上の利用可能性】
【００３４】
本発明は、ギロチンカッターに切れ端が付着することに起因するジャムの発生を、簡単な構成で確実に防止できるので、産業上の利用価値が大なるものである。
【図面の簡単な説明】
【００３５】
【図１】本発明の裁断装置の正面図である。
【図２】本発明の裁断装置の背面図である。
【図３】図１又は図２のIII−III断面図である。
【図４】本発明の裁断装置の作動前の状態を示す断面図である。
【図５】図４の状態に続く裁断作業直前の状態を示す断面図である。
【図６】図５の状態に続く裁断作業時の状態を示す断面図である。
【図７】本発明の裁断装置の変形例を示す断面図である。
【図８】従来の裁断装置における裁断作業直前の状態を示す断面図である。
【図９】従来の裁断装置における裁断作業時の状態を示す断面図である。
【符号の説明】
【００３６】
１１  用紙  ４０  裁断装置  ４１  下刃  ４２  上刃  ４２０  擦り合わせ面  ６  吹付機構  ６１  縦カバー体  ６２  横カバー体  ７  除電ブラシ  Ｓ  空間
【図１】
2006205309.tif 000003
【図２】
2006205309.tif 000004
【図３】
2006205309.tif 000005
【図４】
2006205309.tif 000006
【図５】
2006205309.tif 000007
【図６】
2006205309.tif 000008
【図７】
2006205309.tif 000009
【図８】
2006205309.tif 000010
【図９】
2006205309.tif 000011